(57)【要約】      （修正有）【課題】水中にある状態では水流や潮の流れに良く追従し潮乗りが良いことに加えて、仕掛けの回収時には、水流や潮の抵抗をあまり受けずに、仕掛けの回収の妨げにならない釣り用ウキを提供する。【解決手段】上端がウキ本体2の上面よりも上方に突出した位置にある第一の位置と、上端が第一の位置よりも下方に下がった第二の位置との間で、ウキ本体に対し相対的に移動可能な可動体3を備え、可動体内部にウキ本体の中心軸方向に貫通する糸通し孔6を設けてなる釣り用ウキ1を提供することによって、上記課題を解決する。【選択図】図１
0003102854.tif 000002
【実用新案登録請求の範囲】
【請求項１】
上端がウキ本体の上面よりも上方に突出した第一の位置と、上端が第一の位置よりも下方に下がった第二の位置との間で、ウキ本体に対して相対的に移動可能な可動体を備え、可動体内部に可動体をウキ本体の中心軸方向に貫通する糸通し孔を設けてなる釣り用ウキ。
【請求項２】
第二の位置が、可動体の上端がウキ本体の上面と同じか若しくはウキ本体の上面よりも下方に下がった位置である請求項１記載の釣り用ウキ。
【請求項３】
可動体内部に設けられた糸通し孔がウキ本体の中心軸と略一致している請求項１又は２記載の釣り用ウキ。
【請求項４】
可動体の下部に錘が取り付けられている請求項１、２又は３記載の釣り用ウキ。
【請求項５】
錘が鉛、タングステン、タングステン合金等の金属によって構成されている請求項４記載の釣り用ウキ。
【請求項６】
可動体が第一の位置にあるときに、可動体の下端がウキ本体の下面よりも上方にあり、可動体が第二の位置にあるときに、可動体の下端がウキ本体の下面よりも下方に突出する位置にある請求項１〜５のいずれかに記載の釣り用ウキ。
【請求項７】
可動体の下端がウキ本体の下面よりも常に下方にある請求項１〜５のいずれかに記載の釣り用ウキ。
【考案の詳細な説明】
【技術分野】
【０００１】
本発明は、釣り用ウキに関し、詳細には、ふかせ釣り、カゴ釣り等に適した潮の流れや水の流れに同調し易い釣り用ウキに関するものである。
【背景技術】
【０００２】
近年、良好な釣果を得る上で、刺し餌と撒き餌との同調が重要であることが認識され、両者の同調を実現するための様々な試みが為されている。例えば、潮の流れや水の流れの抵抗を受け易い形状のウキを用いることもその１つの方法で、ウキの上面を平らにしたり、特許文献１にみられるように、ウキの形をキノコが傘を拡げた形状として、水流や潮の流れの抵抗を増し、潮乗りを良くしたウキなどが提案されている。しかしながら、これらのウキは、水中で使用している分には、水流や潮の流れに良く追従し、刺し餌と撒き餌の同調にそれなりの効果があるものの、一旦仕掛けを回収する時になると、水流や潮の流れの抵抗が大きい分だけ重くなり、また、左右にふらついて、仕掛けの回収が困難になるという欠点があった。
【特許文献１】実開平１−１４０２６３号公報
【考案の開示】
【考案が解決しようとする課題】
【０００３】
本考案は、上記のような従来のウキが有する欠点を解決するために為されたもので、水中で流している状態では水流や潮の流れに良く追従し潮乗りが良いことに加えて、仕掛けの回収時には、水流や潮の抵抗をあまり受けずに、仕掛けの回収の妨げにならない釣り用ウキを提供することを課題とするものである。
【課題を解決するための手段】
【０００４】
本考案は、上端がウキ本体の上面よりも上方に突出した位置にある第一の位置と、上端が第一の位置よりも下方に下がった第二の位置との間で、ウキ本体に対し相対的に移動可能な可動体を備え、可動体内部にウキ本体の中心軸方向に貫通する糸通し孔を設けてなる釣り用ウキを提供することによって、上記の課題を解決するものである。
【考案の効果】
【０００５】
本考案の釣り用ウキは、上記のように構成されており、海中や水中で流している状態では、可動体は、その自重若しくは可動体に取り付けられた錘の重さによって下に下がり、その上端が下方に下がった第二の位置、好ましくは、ウキ本体の上面と同じか若しくはウキ本体の上面よりも下方に下がった第二の位置にあり、トップと呼ばれるウキの上面で潮の流れや水の流れの抵抗を受けることができるので、潮乗りが良く、ウキの下方にある仕掛けや刺し餌を、潮の流れや水の流れに良く追従させ、撒き餌との同調を図ることができる。また、可動体の下部に錘が取り付けられている場合には、ウキが低重心となり、特に、可動体が下方に下がった第二の位置にあるときには、ウキが極めて低重心となり、ウキの安定度が向上し、ぶれたりすることがなくなるという利点が得られる。
【０００６】
一方、仕掛けの回収持には、釣り糸を巻き上げる動作によって、ウキ下方の釣り糸に取り付けられているサルカンやクッション、シモリ玉等が上方に引かれ、可動体内部を貫通する糸通し孔の下端周辺部に当たって可動体を上方に押し上げるので、可動体は直ちにその上端がウキ本体の上面よりも上方に突出した第一の位置に持ち上げられることになる。このような状態では、ウキ全体としては、上面が突出した形状となり、潮や水流の抵抗を受け難くなり、しかも、ウキが左右にふらつくこともないので、仕掛けの回収をスムースに行うことができるという利点が得られる。このように、本考案の釣り用ウキによれば、海中や水中で流している状態では潮の流れや水流を受け易い形状となり、潮乗りが良いことに加えて、仕掛けの回収時には、潮や水の抵抗を受けることが少ない形状となり、仕掛けの回収の妨げになり難いという優れた効果が奏されるものである。
【考案を実施するための最良の形態】
【０００７】
以下、図面を用いて本考案の釣り用ウキについて説明するが、本考案が図示のものに限られる訳ではないことは勿論である。なお、本明細書において、「上」若しくは「上方」とは、釣り用ウキに釣り糸を通して通常の状態で吊り下げたときの「上」若しくは「上方」を指し、「下」若しくは「下方」とは、釣り用ウキに釣り糸を通して通常の状態で吊り下げたときの「下」若しくは「下方」を指すものとする。
【０００８】
図１及び図２は本考案の釣り用ウキの一例を示す斜視図である。図１及び図２において、１は本考案の釣り用ウキ、２はウキ本体、３は可動体であり、図１は、可動体３が、その上端５がウキ本体２の上面４よりも上方に突出した第一の位置にある状態を示し、図２は、可動体３が、その上端５がウキ本体２の上面４よりも若干下方に下がった第二の位置にある状態を示している。６は、可動体３の内部を貫通する糸通し孔であり、図示の例においては、糸通し孔６は、可動体３の中心に設けられており、かつ、可動体３とウキ本体２とは同軸に形成されているので、糸通し孔６は、ウキ本体の中心軸Ｚと一致している。７は可動体３の下部に取り付けられた錘である。
【０００９】
なお、図示の例では、第二の位置において、可動体３の上端５は、ウキ本体２の上面４よりも若干下方に下がった位置にあるけれども、潮の流れや水の流れの抵抗を十分に受けることができる限り、第二の位置において、可動体３の上端５は、ウキ本体２の上面４と同じ高さに位置していても良いし、上面４よりももっと下に下がった位置であっても良いし、更には、ウキ本体２の上面４よりも上方に位置していても良い。要は、第一の位置よりも第二の位置において、可動体３の上端５がより下方にあれば良く、このように可動体３が第一の位置と第二の位置との間を移動することによって、ウキ本体２の上面４が受ける潮の流れや水の流れの抵抗の強さが変化すれば良い。しかしながら、ウキ本体２の上面４の形状にもよるけれども、第二の位置において、可動体３の上端５は、ウキ本体２の上面４と同じか、それよりも若干下がった位置にあるのが、ウキ本体２の上面４の形状による潮乗り効果がもっとも顕著に得られるので好ましい。
【００１０】
ウキ本体２や可動体３を構成する材料としては、通常、釣り用ウキの製造に使用される材料を用いれば良く、例えば、桐等の木材や、プラスチックなどを使用することができる。また、錘７を構成する材料としても、通常、釣り用具において錘として使用される材料であればどのようなものでも良く、例えば、鉛、タングステン、タングステン合金等の金属を使用することができる。
【００１１】
図３は、可動体３が第一の位置にある状態での部分断面図であり、図４は、可動体３が第二の位置にある状態での部分断面図である。両図ともにおいて、ウキ本体２の部分だけが断面で示してある。図３及び図４に示すように、可動体３は、上部大径部８と、下部大径部９と、両者の間に位置する両者よりも小径の小径部１０とから成っている。下部大径部９には錘７が取り付けられている。錘７の下部大径部９への取付方に特段の制限はない。場合によっては、錘７で下部大径部９全体を構成するようにしても良い。
【００１２】
一方、ウキ本体２の内部には、その中心部分に、可動体３の上部大径部８を収容する上部空間１１と、可動体３の下部大径部９を収容する下部空間１２とが設けられており、上部空間１１と下部空間１２との間には、小径部１０の外径よりも大きく、上部大径部８及び下部大径部９の外径よりも小さな径を有する狭隘部１３が設けられている。この狭隘部１３と上部空間１１及び下部空間１２との境界にある段差に可動体３の上部大径部８の下面又は下部大径部９の上面が当接することによって、可動体３の上下方向への移動は規制され、可動体３は、その上端５がウキ本体２の上面４よりも上方に突出した位置にある第一の位置と、その上端５がウキ本体２の上面４よりも若干下方に下がった位置にある第二の位置との間で、ウキ本体２に対し相対的に移動可能となっている。なお、上部大径部８、下部大径部９、小径部１０の長さや、上部空間１１、下部空間１２、狭隘部１３の長さを変更することによって、第一の位置及び第二の位置における可動体３の上端５のウキ本体２の上面４からの突出長さや、可動体３の下端部のウキ本体２の下面からの突出長さを適宜変更することができるのは勿論である。このような構成になっているので、可動体３はウキ本体２に対して相対的に移動することができるものの、両者は常に互いに係合した状態にあり、両者が別々に分離して離れてしまうことがない。
【００１３】
１４は釣り糸であり、１５は釣り糸１４に取り付けられたシモリ玉若しくはクッション、１６はサルカン、１７は釣り針である。図４において、シモリ玉若しくはクッション１５及びサルカン１６は、釣り用ウキ１とは離れた状態にあり、可動体３は、図中矢印方向に下がり、第二の位置にある。可動体３を構成する材料にも依存するけれども、可動体３が自重によって、海中若しくは水中で下方に下がる場合には、錘７は特段取り付けなくても良い。しかしながら、可動体３の下方に位置する下部大径部９に錘７が取り付けられていることにより、釣り用ウキ１を低重心とし、その安定度を増すことができるという利点が得られる。加えて、錘７が取り付けられていることによって、釣り用ウキ１を水中若しくは海中に投入したときに、可動体３が速やかに下方に下がって第二の位置に位置するようになるので、錘７は取り付けるのが好ましい。
【００１４】
図４に示すように、可動体３が第二の位置にある場合、可動体３の下端部である下部大径部９の下端はウキ本体２の下面よりも下方に突出した状態にある。しかも、この図示の例においては、下部大径部９の下部には錘７が取り付けられているので、釣り用ウキ１は極めて低重心となっており、安定度が向上し、ぶれたりすることがなくなるという利点が得られるものである。なお、可動体３が第二の位置にあるときに下部大径部９の下端がウキ本体２の下面よりも突出する場合には、釣り用ウキ１の下端を例えば陸上などで岩場等にぶつけると、下部大径部９の下端若しくは錘７が衝撃を受け、変形する恐れがあるので、下部大径部９の下端若しくは錘７は衝撃に強い材料、例えば、タングステン合金で構成するのが望ましい。また、場合によっては、可動体３が第二の位置にある場合でも、可動体３の下端部である下部大径部９の下端がウキ本体２の下面よりも下方に突出しないようにしても良いことは勿論である。
【００１５】
図３に示すように、釣り糸１４を巻き上げると、シモリ玉若しくはクッション１５はサルカン１６に押されて上方に移動し、可動体３を貫通する糸通し孔６の下端周辺部に当接して、可動体３を図中矢印方向に持ち上げ、可動体３を第一の位置に移動させる。シモリ玉若しくはクッション１５が存在しない場合にはサルカン１６が直接可動体３の糸通し孔６の下端周辺部に当接することはいうまでもない。
【００１６】
図５及び図６は、本考案の釣り用ウキ１の使用状態を説明するための概略図である。図５に示すように、本考案の釣り用ウキ１を、シモリ玉若しくはクッション１５、サルカン１６、釣り針１７などの仕掛けとともに海若しくは河川、湖、池等の水中１８に投入すると、可動体３は、自重若しくは取り付けられた錘（図示せず）の重さによって第二の位置である下方に下がる。この状態で、釣り用ウキ１は、ウキ本体２の上面４で水若しくは潮の流れＷを十分に受け止めることができるので、釣り針１７に刺した刺し餌（図示せず）は、潮若しくは水の流れに乗って、別途撒いた撒き餌とうまく同調することになる。
【００１７】
一方、仕掛けの回収時には、図６に示すように、釣り糸１４を巻き上げることによって、サルカン１６が釣り用ウキ１に接近し、それに押されてシモリ玉若しくはクッション１５は可動体３の下端に当接し、可動体３を持ち上げて、図示の第一の位置へと移動させる。この状態では、可動体３の上端５はウキ本体２の上面４よりも上方にあり、ウキ本体２の上面４には可動体３の上部大径部８が突出しているので、釣り用ウキ１を上方に回収するときに発生する水流Ｌは、うまく釣り用ウキ１の周辺へと分散され、抵抗少なく、しかも、釣り用ウキ１がぶれることなく、釣り用ウキ１を含めた仕掛け全体を水中１８から空中へと回収することができるものである。
【００１８】
図７及び図８は、本考案の釣り用ウキの他の例を示す部分断面図であり、ウキ本体２の部分だけを断面で示し、これまでと同じものには同じ符号を付してある。この図示の例においては、可動部３を構成する下部大径部９が、ウキ本体２よりも大きく形成され、ウキ本体２の下方に位置し、下部大径部９の下端は、可動部３が第一の位置にあるか第二の位置にあるかに関わりなく、常にウキ本体２の下面よりも下方に位置している。このため、本例においては、図３及び図４で示した例においては存在していた下部空間１２は存在しない。７は、下部大径部９の下部に取り付けられた錘である。
【００１９】
この例の釣り用ウキ１においても、釣り用ウキ１が海中又は水中で流している状態にあるときには、図８に示すように、可動部３はその上端５がウキ本体２の上面４よりも若干下方に位置しており、ウキ本体２の上面４及び可動部３の上端５で水若しくは潮の流れを十分に受け、釣り針１７の刺した刺し餌（図示せず）は、水若しくは潮の流れに乗って、別途撒いた撒き餌とうまく同調することとなる。
【００２０】
一方、仕掛けを回収する場合には、図７に示すように、釣り糸１４を巻き上げることによって、サルカン１６が釣り用ウキ１に接近し、それに押されてシモリ玉若しくはクッション１５は可動体３の下端に当接し、可動体３を持ち上げて、図示の第一の位置へと移動させる。この状態では、可動体３の上端５はウキ本体２の上面４よりも上方に突出した位置にあり、水流をうまく釣り用ウキ１の周辺へと分散させることができるので、抵抗少なく、しかも、釣り用ウキ１がぶれることなく、釣り用ウキ１を含めた仕掛け全体を回収することができるものである。このように本例の釣り用ウキ１においても、ウキ本体２に対して可動体３は相対的に移動可能であるものの、両者は常に係合状態にあり、両者が互いに別々に離れてしまうことはない。
【００２１】
なお、以上の例においては、釣り用ウキ１としては、上面が若干平らになった紡錘形状のウキを例として示したが、本考案の釣り用ウキの形状が、図示したものに限られないことは言うまでもない。また、ウキ本体２に対して可動体３をウキ本体２の軸方向に移動可能に保持する機構も、図示したものに限られない。可動体３を第一の位置と第二の位置との間で移動可能に保持できる限りどのような機構を採用しても良い。例えば、可動体３には、小径部１０の代わりに、上部大径部８及び下部大径部９よりも大径の中央大径部を設け、それに対応して、ウキ本体２には、狭隘部１３に代えて、上部空間１１及び下部空間１２よりも内径の大きな拡大部を設け、拡大部の中で中央大径部が上下に移動するようにしても良い。
【００２２】
また、以上の例においては、可動体３の糸通し孔６は、ウキ本体２の中心軸Ｚと同軸であったが、場合によっては、糸通し孔６とウキ本体２の中心軸Ｚとはずれていても良い。さらには、以上の例においては、可動体３の糸通し孔６は、可動体３の中心を縦に貫通して設けられているが、糸通し孔６は、場合によっては、可動体３の中心になくても良い。
【産業上の利用可能性】
【００２３】
以上説明したように、本考案の釣り用ウキによれば、海中若しくは水中にあるときには潮若しくは水の流れに良く追従し、刺し餌と撒き餌との同調をうまく実現することができるとともに、仕掛け回収時には、水の抵抗が少なく、しかも釣り用ウキがぶれることもなく、容易に回収することができるという利点がある。したがって、本考案は、誰もが容易に釣りを楽しむことを可能にし、釣り具産業の発展に大いに貢献するものである。
【図面の簡単な説明】
【００２４】
【図１】可動体が第一の位置にある状態の本考案の釣り用ウキの一例を示す斜視図である。
【図２】可動体が第二の位置にある状態の本考案の釣り用ウキの一例を示す斜視図である。
【図３】可動体が第一の位置にある状態の本考案の釣り用ウキの一例を示す部分断面図である。
【図４】可動体が第二の位置にある状態の本考案の釣り用ウキの一例を示す部分断面図である。
【図５】本考案の釣り用ウキの使用状態を示す概略図である。
【図６】本考案の釣り用ウキの使用状態を示す概略図である。
【図７】可動体が第一の位置にある状態の本考案の釣り用ウキの他の一例を示す部分断面図である。
【図８】可動体が第二の位置にある状態の本考案の釣り用ウキの他の一例を示す部分断面図である。
【符号の説明】
【００２５】
１          釣り用ウキ
２          ウキ本体
３          可動体
４          ウキ本体上面
５          可動体上端
６          糸通し孔
７          錘
８          上部大径部
９          下部大径部
１０          小径部
１１          上部空間
１２          下部空間
１３          狭隘部
１４          釣り糸
１５          シモリ玉若しくはクッション
１６          サルカン
１７          釣り針
１８          水中
Ｌ          水流
Ｗ          水若しくは潮の流れ
Ｚ          ウキ本体２の中心軸
【図１】
0003102854.tif 000003
【図２】
0003102854.tif 000004
【図３】
0003102854.tif 000005
【図４】
0003102854.tif 000006
【図５】
0003102854.tif 000007
【図６】
0003102854.tif 000008
【図７】
0003102854.tif 000009
【図８】
0003102854.tif 000010